(57)【要約】【課題】  アプリケーションから立体印刷の指示を行うことにより立体画像を形成することができるようにする。【解決手段】  アプリケーション２０は、印刷対象の文書情報のどのオブジェクトをどのような仕様で立体にするのかといった立体印刷指示を行う立体印刷指示手段（ＵＩ）を有し、該立体印刷指示手段によって立体印刷指示されたオブジェクトを指示された条件で立体画像化することを指示する立体印刷指示情報を含む立体画像データを生成し、プリンタドライバ３０に送出する。プリンタドライバ３０は、立体画像データに基づき該立体画像データに対応する立体画像を形成するための印刷データを生成してプリンタ４０に送出し、プリンタ４０は、該印刷データに基づき記録用紙６０上に立体画像を印刷出力する。【選択図】  図２
2005227862.tif 000002
【特許請求の範囲】
【請求項１】
立体画像データを生成する立体画像データ生成手段と、
印刷データに基づき立体画像を用紙上に形成する立体画像形成手段と、
前記立体画像データ生成手段で生成された立体画像データに基づき該立体画像データに対応する立体画像を形成するための印刷データを前記立体画像形成手段に出力する印刷データ出力手段と
を具備することを特徴とする立体画像形成装置。
【請求項２】
前記立体画像データ生成手段は、
少なくとも１つのレイヤーで立体を指定する立体画像レイヤーを含む複数レイヤーの画像データを前記立体画像データとして生成する
ことを特徴とする請求項１記載の立体画像形成装置。
【請求項３】
前記立体画像データ生成手段は、
特定のフォントに対応する画像を立体として指定する立体フォントデータを含む画像データを前記立体画像データとして生成する
ことを特徴とする請求項１記載の立体画像形成装置。
【請求項４】
前記立体画像データ生成手段は、
特定の描画オブジェクトに対応する画像を立体として指定する立体描画オブジェクトを含む画像データを前記立体画像データとして生成する
ことを特徴とする請求項１記載の立体画像形成装置。
【請求項５】
前記立体画像データ生成手段は、
特定の領域の画像を立体として指定する立体描画領域指定を含む画像データを前記立体画像データとして生成する
ことを特徴とする請求項１記載の立体画像形成装置。
【請求項６】
前記立体画像データ生成手段は、
特定のオーバーレイ画像を立体として指定する該オーバーレイ画像を含む画像データを前記立体画像データとして生成する
ことを特徴とする請求項１記載の立体画像形成装置。
【請求項７】
前記立体画像形成手段は、
熱発泡性トナーを用紙に転写して加熱処理することにより立体画像を形成するプリンタであり、
前記印刷データ出力手段は、
前記立体画像データ生成手段で生成された立体画像データを入力して、該立体画像データを前記プリンタに適合した印刷データに変換するプリンタドライバである
ことを特徴とする請求項１記載の立体画像形成装置。
【発明の詳細な説明】
【技術分野】
【０００１】
本発明は、印刷対象の文書情報に基づき立体画像を形成する立体画像形成装置に係わり、詳しくは、アプリケーションから立体印刷指示を行うことにより立体画像を形成する画像形成装置に関する。
【背景技術】
【０００２】
今日、電子写真方式や静電記録方式を適用し、熱発泡性トナー（以下、発泡トナー）を用いて立体的な画像を形成するプリンタや複写機等の画像形成装置が知られている。
【０００３】
例えば、下記特許文献１，２，３には、電子写真記録プロセスの中で、発泡トナー像の上に所定の色の色材を含有するトナー像を載せていき、定着工程での加熱により発泡トナー像を発泡させたうえでその上に載せられた各色トナー像を溶融・固着させることで立体的な画像を形成する技術が開示されている。
【０００４】
このような立体印刷を実現するためには、例えば、図２２に示すように、プリンタドライバとプリンタを備えるシステム構成において、印刷対象の文書情報に対してどの部分を立体にするのかといった立体印刷指示を行う機能を設ける必要がある。
【０００５】
立体印刷指示機能を持たない場合、プリンタドライバは、図２２に示すように、アプリケーションからの描画命令により、印刷対象の文書情報に基づいて、例えば、ＰＤＬ（Page-Description Language：ページ記述言語）形式のコマンドを生成してプリンタに送出する通常の処理しか行わないため、立体画像を印刷することは不可能であった。
【特許文献１】特開２００１−１３４００６号公報
【特許文献２】特開２００１−１３４０９１号公報
【特許文献３】特開２００１−１９４８４６号公報
【発明の開示】
【発明が解決しようとする課題】
【０００６】
ところで、特許文献１〜３に代表される公知のシステムでは、立体印刷指示機能の実現方法についての具体的な示唆はなかった。
【０００７】
特に、従来システムでは、アプリケーションから立体印刷指示を行うものは存在せず、このため、アプリケーションから立体印刷の指示を行って立体画像を形成することができないという問題点があった。
【０００８】
本発明は上記問題点を解消し、アプリケーションから立体印刷の指示を行うことにより立体画像を形成することができる立体画像形成装置を提供することを目的とする。
【課題を解決するための手段】
【０００９】
上記目的を達成するために、請求項１記載の発明は、立体画像データを生成する立体画像データ生成手段と、印刷データに基づき立体画像を用紙上に形成する立体画像形成手段と、前記立体画像データ生成手段で生成された立体画像データに基づき該立体画像データに対応する立体画像を形成するための印刷データを前記立体画像形成手段に出力する印刷データ出力手段とを具備することを特徴とする。
【００１０】
請求項２記載の発明は、上記請求項１記載の発明において、前記立体画像データ生成手段は、少なくとも１つのレイヤーで立体を指定する立体画像レイヤーを含む複数レイヤーの画像データを前記立体画像データとして生成することを特徴とする。
【００１１】
請求項３記載の発明は、上記請求項１記載の発明において、前記立体画像データ生成手段は、特定のフォントに対応する画像を立体として指定する立体フォントデータを含む画像データを前記立体画像データとして生成することを特徴とする。
【００１２】
請求項４記載の発明は、上記請求項１記載の発明において、前記立体画像データ生成手段は、特定の描画オブジェクトに対応する画像を立体として指定する立体描画オブジェクトを含む画像データを前記立体画像データとして生成することを特徴とする。
【００１３】
請求項５記載の発明は、上記請求項１記載の発明において、前記立体画像データ生成手段は、特定の領域の画像を立体として指定する立体描画領域指定を含む画像データを前記立体画像データとして生成することを特徴とする。
【００１４】
請求項６記載の発明は、上記請求項１記載の発明において、前記立体画像データ生成手段は、特定のオーバーレイ画像を立体として指定する該オーバーレイ画像を含む画像データを前記立体画像データとして生成することを特徴とする。
【００１５】
請求項７記載の発明は、上記請求項１記載の発明において、前記立体画像形成手段は、熱発泡性トナーを用紙に転写して加熱処理することにより立体画像を形成するプリンタであり、前記印刷データ出力手段は、前記立体画像データ生成手段で生成された立体画像データを入力して、該立体画像データを前記プリンタに適合した印刷データに変換するプリンタドライバであることを特徴とする。
【発明の効果】
【００１６】
本発明によれば、立体画像データ生成手段が立体画像データを生成し、印刷データ出力手段が、上記立体画像データ生成手段により生成された立体画像データに基づき該立体画像データに対応する立体画像を形成するための印刷データを生成し、画像形成手段が上記印刷データに基づき立体画像を用紙上に形成する処理の中で、立体画像データ生成手段が上記立体画像データを生成して印刷データ生成手段に送出する処理が立体印刷指示機能としての役割を果たす。
【００１７】
ここで、立体画像形成手段は、熱発泡性トナーを用紙に転写して加熱処理することにより立体画像を形成するプリンタであり、印刷データ出力手段は、立体画像データ生成手段で生成された立体画像データを入力して、該立体画像データをプリンタに適合した印刷データに変換するプリンタドライバであるものとすれば、立体画像データ生成手段は、上記立体画像データを生成してプリンタドライバに送出するアプリケーション（立体印刷指示プログラム）で実現でき、該アプリケーションが上述した立体画像データ生成機能すなわち立体印刷指示機能を有することによって、当該アプリケーションから立体印刷指示を行って立体画像を形成することができる。
【発明を実施するための最良の形態】
【００１８】
以下、本発明の実施形態について添付図面を参照して詳細に説明する。
【００１９】
図１は、本発明に係る印刷処理システムの構成を示すブロック図である。
【００２０】
この印刷処理システムは、パーソナル・コンピュータ（ＰＣ）１０とプリンタ４０をネットワーク５０を介して接続して構成される。
【００２１】
ＰＣ１０は、キーボードやマウス等の入力デバイスから成る入力／操作部１１、各種情報の表示を行う表示部１２、装置全体の制御を行う制御部１３、各種情報を記憶する記憶部１４、ネットワーク５０とのインタフェースを司るネットワーク・インタフェース（ＮＷ  Ｉ／Ｆ）１５、プリンタ４０に印刷ジョブを送出して印刷動作制御を行うプリンタドライバ３０から構成される。
【００２２】
プリンタ４０は、ネットワーク５０とのインタフェースを司るＮＷ  Ｉ／Ｆ４１、プリンタドライバ３０から送られてくる印刷ジョブに基づき、ＰＤＬコマンドや立体ＰＤＬコマンドの解析、ビットマップ展開等の画像処理を行う画像処理部４２、画像処理部４２での画像処理により生成された印刷データ（ビットマップデータ）に基づき記録用紙上に画像を形成する画像形成部４３、装置全体の制御を行う制御部４４、タッチパネル等から成る操作／表示部４５から構成される。
【００２３】
このシステムにおいて、ＰＣ１０の制御部１３内には、文書処理機能を有するアプリケーション２０が保持（インストール）されている。
【００２４】
アプリケーション２０は、入力／操作部１１からの指令により起動されて表示部１２に編集画面を表示すると共に、入力／操作部１１からのキー入力等を受け付けて文書の作成、編集の処理を実行する。
【００２５】
また、アプリケーション２０は、入力／操作部１１での印刷要求操作に応じて印刷設定画面を表示し、該画面上で、入力／操作部１１の操作に基づく印刷指示を受け付け、該印刷指示された文書情報の描画命令をプリンタドライバ３０に発行する処理を行う。
【００２６】
特に、本発明に係わるアプリケーション２０は、表示部１２に表示する印刷設定画面上で、印刷対象の文書情報のどのオブジェクトをどのような仕様で立体にするのかといった立体印刷指示を入力／操作部１１でのユーザ操作によって受け付け、該立体印刷指示に基づき、当該立体印刷指示されたオブジェクトを指示された条件で立体画像化することを指示する立体印刷指示情報を含む立体画像データを生成し、該立体画像データを描画命令と共にプリンタドライバ３０に送出する処理機能を備える。
【００２７】
プリンタドライバ３０は、アプリケーション２０から送出される上記立体画像データを受信すると、該立体画像データに基づき当該立体画像データに対応する立体画像を形成するための印刷データを生成し、該印刷データをプリンタ４０に送出する。
【００２８】
プリンタ４０は、プリンタドライバ３０から送出される上記印刷データを受信し、該印刷データに基づき記録用紙上に立体画像を印刷出力する。
【００２９】
図２は、本発明に係わる印刷処理システム（図１における各部と同様の構成要素には同一の符号を付す）の立体印刷処理動作を示す概念図である。
【００３０】
図２に示すように、文書情報の印刷指示を行うアプリケーション２０と、該アプリケーション２０からの印刷指示に基づき、印刷対象の文書情報の印刷ジョブを生成してプリンタ４０に送出するプリンタドライバ３０と、プリンタドライバ３０から印刷ジョブを受信して該印刷ジョブに基づき画像を印刷するプリンタ４０とにより構成される本発明の印刷処理システムにおいて、アプリケーション２０は、所望の文書情報を対象にして、立体印刷すべきオブジェクト（テキストやグラフィック、あるいはテキスト中の特定文字等）や、そのオブジェクトをどのような形態（立体出力仕様：盛上がり高さ、盛上がり形状、立体画像が重なった場合の重なり処理等）で立体画像として印刷するかといった立体印刷設定を指示する立体印刷指示手段〔図中でＵＩ（ユーザ・インタフェース）：後述するＵＩ画面１２０（図３参照）に相当〕を具備する。
【００３１】
文書情報を立体印刷しようとする場合、アプリケーション２０は、印刷対象の文書情報に対して、上記ＵＩ（立体印刷指示手段）を用いて、立体印刷すべきオブジェクトとして○，△（図形を表したものではなく、テキストやグラフィック等の各種オブジェクトを表している。）を指示する内容の立体印刷指示を受け付ける。
【００３２】
立体印刷指示手段により上記内容の立体印刷指示がなされると、該アプリケーション２０は、該立体印刷指示内容を解析し、立体印刷指示されたオブジェクトを抽出すると共に、該抽出されたオブジェクト（立体印刷対象データ）に対応して、該オブジェクトを立体印刷することを指示する立体印刷指示情報を含む立体画像データを生成する。
【００３３】
また、立体印刷指示されなかったオブジェクト（非立体印刷対象データ）に対しては、該文書情報を通常印刷（非立体印刷）することを指示する非立体画像データ（通常の画像データ）を生成する。
【００３４】
そして、文書情報全体の解析が終了すると、それまでに生成された非立体画像データと立体画像データをこれら画像データに対する描画命令と共にプリンタドライバ３０に送出する。
【００３５】
プリンタドライバ３０は、アプリケーション２０から印刷対象の文書情報（立体画像データ＋非立体画像データ）とその描画命令を受信すると、該文書情報を解析し、立体印刷指示情報に対応するオブジェクトを抽出する。
【００３６】
次いで、プリンタドライバ３０は、上記抽出されたオブジェクトを、対応する立体印刷指示情報に従って立体印刷するのに必要な印刷データ（立体印刷描画命令：後述する立体ＰＤＬコマンドに相当）を生成する。
【００３７】
また、立体印刷指示情報が対応付けられていない、つまり立体印刷指示されなかったオブジェクト（非立体印刷対象データ）に対しては、該オブジェクト（文書情報）を通常印刷（非立体印刷）するのに必要な印刷データ（非立体印刷描画命令：後述するＰＤＬコマンドに相当）を生成する。
【００３８】
その後、プリンタドライバ３０は、上記立体印刷描画命令と非立体印刷描画命令を合成して印刷ジョブを生成し、プリンタ４０に送出する。
【００３９】
プリンタ４０では、プリンタドライバ３０からの印刷ジョブを受信すると、画像処理部４２（図１参照）が、該印刷ジョブに含まれる立体印刷描画命令及び非立体印刷描画命令を解析し、その解析結果に基づきビットマップ展開を行って印刷用のデータを生成する。
【００４０】
この時の印刷用データは、非立体印刷描画命令の描画対象のオブジェクトを非立体画像として印刷し得るデータ（非立体印刷データ）と、立体印刷描画命令の描画対象のオブジェクトを指示された立体印刷設定内容を満たす立体画像として印刷し得るデータ（立体印刷データ）とが混在したものとなる。
【００４１】
ここで、非立体印刷データは、画像形成部４３（図１参照）の構成に合わせて、例えば、Ｙ（イエロー），Ｍ（マゼンタ），Ｃ（シアン），ＢＫ（黒）の多色階調データから成り、立体印刷データは、Ｙ，Ｍ，Ｃ，ＢＫの階調データに、更に、発泡トナー量、すなわち発泡後の立体画像の高さを決定する発泡トナー用階調データ（Ｈ）が付加されるものである。
【００４２】
画像処理部４２で生成された上記印刷用データは画像形成部４３（図１参照）に入力され、画像形成部４３は、当該印刷用データに基づき記録用紙６０上に立体印刷を行う。
【００４３】
その際、非立体印刷データからは、Ｙ，Ｍ，Ｃ，ＢＫトナーによる多色の非立体画像が形成され、立体印刷データからは、発泡トナー（Ｈ）の発泡により立体化された部分の上に、Ｙ，Ｍ，Ｃ，ＢＫによる多色画像が載せられた立体画像（図中の○，△に当たる画像：ＵＩで立体印刷指示されたオブジェクト）が形成される。
【００４４】
図２における立体印刷処理動作からも分かるように、本発明の印刷処理システムは、文書情報（アプリケーション２０により生成されたファイルデータ等）を印刷する場合、アプリケーション２０が有する立体印刷指示手段（ＵＩ）から立体印刷指示を行うことにより、プリンタドライバ３０とプリンタ４０とが協同して当該印刷対象の文書情報を一部若しくは全部が立体画像化された画像として印刷するものである。
【００４５】
つまり、本発明では、アプリケーション２０が、上記立体印刷指示手段を用いて立体印刷の指示を行う立体印刷指示プログラムとしての機能を有し、該アプリケーション２０から上記立体印刷指示手段を用いて立体印刷の指示を行って立体画像を印刷出力することができる。
【００４６】
次に、アプリケーション２０に備わる立体印刷指示機能（図２におけるＵＩ）について説明する。
【００４７】
本発明において、アプリケーション２０は、立体印刷対象のオブジェクトの指示、及び立体画像の立体出力仕様（立体画像の高さや、盛上がり形状、立体面パターン等）を指示するためのユーザ・インタフェース（ＵＩ：立体印刷指示手段）として、例えば、図３に示す構成から成るＵＩ画面（立体印刷設定画面）１２０を有している。
【００４８】
このＵＩ画面１２０は、入力／操作部１１での所定操作により表示部１２に表示することができ、立体印刷指定、立体対象指定１，２、バリエーション指定、重なり指定、特徴量高さ割当て指定の各立体印刷指定欄が設けられる。
【００４９】
このＵＩ画面１２０上の立体印刷指定の欄では、印刷対象文書情報を立体印刷するか否かや、擬似立体印刷を行うか否か等の印刷形態を指定することができる。
【００５０】
具体的には、同欄の“立体印刷する”チェックボックス（以下、ＣＢと略称）をチェックするか否かにより、立体印刷を行うか否かを指定することが可能である。
【００５１】
ここで、立体印刷を行うことを指定した場合には、更に、立体印刷の処理順序を選択可能となる。
【００５２】
特に、この例では、立体印刷することを指定した場合、“立体画像を最後に印刷”若しくは“立体画像を最初に印刷”オプションボタン（以下、ＯＢと略称）を用いて、立体画像を最後に印刷する（印刷出力後に発泡トナーが最下層になる印刷形態）か、あるいは最初に印刷する（印刷出力後に発泡トナーが最上層になる印刷形態）かの指定を行うことができる。
【００５３】
この処理順序の設定が必要な理由は、発泡トナーが透過性素材でないためである。つまり、非透過性素材の発泡トナーが載った下地は見えなくなってしまうため、発泡トナーを用いた立体印刷の順序を指定可能にする。
【００５４】
また、この欄では、“擬似立体印刷”ＣＢをチェックすることにより、発泡トナーを使用しないで擬似的に立体印刷を行うモード（試し刷りモード）の設定を行うことができる。この試し刷りモードでは、発泡トナーで印刷した場合のような効果（例えば、後述する立体強調指定時の立体印刷時における陰影や縁取り等）を付加して通常トナー（不発泡トナー）での印刷を行う。
【００５５】
また、ＵＩ画面１２０の立体対象指定欄１では、立体描画レイヤー、立体オブジェクトパレット、立体領域、立体オーバレイの各ボタンを用いて、立体印刷指示を行うことができる。
【００５６】
これら立体対象指定１欄中の各ツール（ボタン）を用いた立体印刷指示処理については、図９から図１７を参照して後で詳しく説明する。
【００５７】
また、ＵＩ画面１２０の立体対象指定欄２では、立体印刷対象のオブジェクトを指定することができる。
【００５８】
指定可能なオブジェクトとしては、テキストやグラフィック、あるいはイメージなどの描画オブジェクトそのものがある。これら描画オブジェクトの指定は、該当する描画オブジェクトのＣＢ〔“グラフィック”ＣＢ，“イメージ”ＣＢ等〕をチェックすることにより行う。
【００５９】
この欄で更に細かく指定可能な項目としては、印刷対象文書情報を構成するテキスト中の、例えば、“※”、“☆”といった特定の文字を指定することができる。この指定は、“特定文字”ＣＢをチェックし、付随のコンボ・ボックス（以下、ＣＭＢと略称）に所望の特殊文字を入力することにより行う。
【００６０】
また、テキストにおける、例えば、“Ａｒｉａｌ”等のある特定のフォントを指定することができる。この指定は、“フォント”ＣＢをチェックし、付随のＣＭＢ中から所望のフォントを選択することにより行う。
【００６１】
同様にして、テキストにおける特殊フォントを指定することができる。このような特殊フォントとしては、例えば、立体フォント等の仮想フォントが存在する場合には当該仮想フォントが考えられる。
【００６２】
また、テキストにおける、例えば、ボールド、イタリック等といった、特定の修飾コマンドを指定することができる。この指定は、“フォント修飾”ＣＢをチェックし、付随のＣＭＢ中から所望のフォント修飾を選択することにより行う。
【００６３】
また、この欄で、“グラフィック”ＣＢをチェックすることにより立体印対象オブジェクトしてグラフィックを指定した場合、この時の印刷対象文書情報中の全てのグラフィックオブジェクトは全て立体印刷することができる。
【００６４】
なお、グラフィックを指定した場合、“グラフィック”ＣＢに付随のＣＭＢを用いて、例えば、矩形や円形、三角形といった特定の形状を指定（選択）することができる。
【００６５】
また、この欄では、描画オブジェクト（テキスト、グラフィックともに）のある特定の色を指定することができる。この指定は、“色”ＣＢをチェックし、付随のＣＭＢ中から所望の色を選択することにより行う。
【００６６】
ここで指定した色の情報は、図３では色名（赤）で示されているが、具体例としては、例えば、マゼンタであれば（Ｒ＝２５５，Ｇ＝０，Ｂ＝２５５）等の形で指定する方法が考えられる。
【００６７】
なお、描画オブジェクトに関して特定の色を指定した場合、立体印刷面の上にその色を載せるかどうかについても併せて指定できるようにしても良い。
【００６８】
また、ＵＩ画面１２０のバリエーション指定欄では、立体画像をどのような立体出力仕様にするかを種々のバリエーションの中から選択的に指定することができる。
【００６９】
具体的な立体出力仕様として、この欄では、立体画像（発泡後の発泡トナー像）の高さを指定することができる。この指定は、“高さ”ＣＢをチェックし、付随のＣＭＢ中から所望の高さ（この例では、２mm）を選択する（あるいは、入力する）ことにより行う。
【００７０】
また、この欄では、立体画像の盛上がり形状（立体画像が記録された用紙を水平方向から見た時の形状）を指定することができる。この指定は、“盛上がり形状”ＣＢをチェックし、付随のＣＭＢ中から所望の盛上がり形状（四角形、とんがり（三角）型、かまぼこ型、波型等）を選択することにより行う。
【００７１】
また、立体画像の高さ指定と組み合わせる場合には、“高さ”ＣＢに付随のＣＭＢ中から選択する高さの値は、当該指定形状におけるトップの高さとする。
【００７２】
また、この欄では、立体画像に色を付けるかどうか、付けるならばどういう色かを指定できる。この指定は、“色付加”ＣＢをチェックし、付随のＣＭＢ中から所望の色を選択することにより行う。
【００７３】
この“色付加”ＣＢに付随のＣＭＢ中で選択できる色としては、単色の他、複数色を使ってグラデーションやストライプ、チェック等の指定も可能にする。なお、具体例な色指定方法については、（Ｒ＝２５５，Ｇ＝０，Ｂ＝２５５：マゼンタの場合）等の形で指定するようにしても良い。
【００７４】
また、この欄では、立体画像のサイズを元データのままにするか、何倍（あるいは、何％）に拡大若しくは縮小するかを指定することができる。この指定は、“データ拡縮”ＣＢをチェックし、付随のＣＭＢ中から所望の拡縮倍数（あるいは、拡縮率）を選択することにより行う。
【００７５】
また、この欄では、立体画像の立体を強調するために、非立体印刷を利用して、例えば、影を付ける、縁取りする、といった強調画像印刷を行うかどうかを指定することができる。この指定は、“立体強調”ＣＢをチェックし、付随のＣＭＢ中から所望の強調画像印刷方法（陰影付加や、縁取り等）を選択することにより行う。その際に、強調印刷画像部分に付ける色や太さの設定も可能にしても良い。
【００７６】
また、この欄では、立体画像の表面（立体面）に高低差を持たせることでシェード（網掛け）効果を出すかどうかを指定することができる。ここで、シェードパターンは複数用意されている。この指定は、“立体面パターン”ＣＢをチェックし、付随のＣＭＢ中から所望のシェードパターンを選択することにより行う。
【００７７】
また、ＵＩ画面１２０上の重なり指定欄では、立体印刷対象オブジェクトが重なり合う領域が存在する場合に、該重なり合った領域はその高さをｎ倍（ｎ＝重なり数）にする（重なりを反映）、発泡印刷対象が重なり合った領域は高さをｎ倍にしない（重なりを無視）、発泡印刷対象が重なり合った領域は発泡させない（重なりを立体にしない）、発泡印刷対象が重なり合った領域を発泡させるかどうかを論理演算によって決定する（重なりを論理演算）のいずれかを指定することができる。
【００７８】
この指定は、同欄の“重なりを反映”，“重なりを無視”，“重なりを立体にしない”，“重なりを論理演算”に対応した各ＯＢ中の、所望の重なり処理方法に対応したＯＢに選択マークを入れることにより行う。なお、“重なりを論理演算”ＯＢに選択マークを入れた場合には、論理演算方法（ＡＮＤ，ＯＲ）も指定する。
【００７９】
また、ＵＩ画面１２０上の特徴量高さ割当て指定欄では、印刷対象の文書情報中の各種パラメータの特徴量を抽出してその特徴量を発泡トナーの高さに変換して（割当てて）立体印刷を行うことを目的として、当該発泡トナーの高さ変換に用いるパラメータを指定することができる。
【００８０】
この例では、発泡トナーの高さ変換に用いるパラメータとしては、例えば、明度、彩度、色相、濃度の各パラメータを指定可能である。この指定は、同欄の“明度を高さに変換”，“彩度を高さに変換”，“色相を高さに変換”，“濃度を高さに変換”に対応した各ＯＢ中の、所望の変換方法に対応したＯＢに選択マークを入れることにより行う。
【００８１】
次に、アプリケーション２０の処理動作について説明する。
【００８２】
本発明のシステム（図１参照）において、例えば、ＰＣ１０に実装されるアプリケーション２０で生成した文書情報（以下、ファイルデータという）を立体印刷する場合、表示部１２に表示される当該ファイルデータに対応する画像を見ながら立体化しようとするオブジェクトを決定し、次いで、アプリケーション２０の立体印刷指示手段（上記ＵＩ画面１２０）を用いて当該オブジェクトを立体印刷するために必要な立体印刷指示を行う。
【００８３】
具体的には、ＵＩ画面１２０の立体印刷指定欄中の“立体印刷する”ＣＢをチェック（レ点を入れる。）し、かつ“立体画像を最後に印刷”ＯＢまたは“立体画像を最初に印刷”ＯＢのいずれかを選択する。
【００８４】
また、立体対象指定２欄のフォント、グラフィック、フォント修飾、色、特定文字、イメージの各項目の中から所望の項目を選んで該項目のＣＢにチェックを入れ、その際、チェックを入れた項目のＣＯＢを操作して所望の条件（フォントであれば、例えば、Ａｒｉａｌ。グラフィックであれば、例えば矩形等）を選択する。
【００８５】
更に、必要に応じて、バリエーション指定欄、重なり指定欄、特徴量高さ割当て指定欄を用いて、上記立体印刷対象オブジェクトの立体出力仕様（印刷出力形態）を指定する。
【００８６】
立体出力仕様の具体的な指定方法としては、例えば、「高さ：２mm」，「盛上がり形状：かまぼこ型」，「色：マゼンタ（Ｒ＝２５５，Ｇ＝０，Ｂ＝２５５）」，「データ拡縮：元データの１２０％」，「強調：縁取り／黒で太さ１mm」，「出力順序：立体画像を最後に印刷」，「重なり処理：重なりを無視」等が挙げられる。
【００８７】
上記の如く、ＵＩ画面１２０上の各ツールを用いて立体印刷対象オブジェクト及び立体出力仕様を含む立体印刷指示を行った後、入力／操作部１１から、表示部１２に表示中のファイルの印刷開始指示が与えられると、アプリケーション２０は、当該ファイルデータを上記立体印刷指示に基づいて立体印刷するための立体画像データを生成する処理を開始する。
【００８８】
図４は、アプリケーション２０における立体画像データ生成処理動作を示すフローチャートである。
【００８９】
図４に示すように、アプリケーション２０は、ＵＩ画面１２０の表示中、該ＵＩ画面１２０を用いて上述した立体印刷指示操作がなされたか否かを監視している（ステップＳ１０１）。
【００９０】
ここで、立体印刷指示がなされると（ステップＳ１０１ＹＥＳ）、印刷対象のファイルデータ中の立体印刷指示されたオブジェクトを、指示された態様で立体画像として形成することを指示する立体印刷指示情報を生成する（ステップＳ１０２）。
【００９１】
この立体印刷指示情報の生成処理を、立体印刷開始指示が行われるまでの間、立体印刷指示がある毎に実施して行き、この間、立体印刷開始指示が行われると（ステップＳ１０３ＹＥＳ）、アプリケーション２０は、それまでに生成された立体印刷指示情報を含む立体画像データを生成し（ステップＳ１０４）、該生成された立体画像データを含む印刷ジョブをプリンタドライバ３０に送出する（ステップＳ１０５）。
【００９２】
なお、上記ステップ１０４で生成される立体画像データは、図２において説明したように、立体印刷することを指定されたオブジェクトを立体画像として描画することを指示する立体印刷指示情報を含む画像データである。
【００９３】
次に、プリンタドライバ３０と、該プリンタドライバ３０により駆動されるプリンタ４０の構成及び動作について説明する。
【００９４】
図５は、プリンタドライバ３０及びプリンタ４０の詳細構成を示す図である。但し、プリンタ４０の構成に関しては、画像処理部４２以外の構成は省略している。
【００９５】
図５に示すように、プリンタドライバ３０は、印刷ジョブ解析部３０１、ジョブ制御コマンド生成部３０２、ＰＤＬコマンド生成部３０３を具備して構成される。
【００９６】
また、プリンタ４０において、画像処理部４２は、ジョブ制御コマンド解析部４２１、ＰＤＬコマンド解析部４２２、レンダリング部４２３を具備して構成される。
【００９７】
図６は、プリンタドライバ３０の印刷データ生成処理動作を示すフローチャートである。
【００９８】
プリンタドライバ３０は、アプリケーション２０からの印刷ジョブを受信すると（ステップＳ２０１ＹＥＳ）、印刷ジョブ解析部３０１が、該印刷ジョブ（ファイルデータ）の解析を行う（ステップ２０２）。
【００９９】
この解析実行中、該解析対象のオブジェクトに立体印刷指示情報が付加されているかどうかによって、当該オブジェクトが、立体印刷指示のなされたオブジェクト（ＵＩ画面１２０の立体対象指定欄等により立体印刷することを指示されたフォント、グラフィック、特定文字等）かどうかを判定する（ステップＳ２０３）。
【０１００】
ここで、立体印刷指示のなされたオブジェクトを抽出すると（ステップＳ２０３ＹＥＳ）、その解析結果〔構成要素（文字、グラフィック、イメージ等）やその位置、大きさ等〕と、立体出力仕様（ＵＩ画面１２０のバリエーション指定欄、重なり指定欄、特徴量高さ割当て指定欄等により指定された各項目の情報）をジョブ制御コマンド生成部３０２に送出する。
【０１０１】
ジョブ制御コマンド生成部３０２は、上記解析結果を用いて、当該立体印刷指示されたオブジェクトを、この時に指定されている立体出力仕様（立体出力形態）で立体印刷するために必要な立体制御コマンド（立体印刷用の描画命令）を生成し（ステップＳ２０４）、該立体制御コマンドをＰＤＬコマンド生成部３０３に渡す。
【０１０２】
また、解析対象のオブジェクトが立体印刷指示のなされていないオブジェクトの場合（ステップＳ２０３ＮＯ）、その解析結果をジョブ制御コマンド生成部３０２に送出する。
【０１０３】
ジョブ制御コマンド生成部３０２は、上記解析結果を用いて、当該オブジェクトを非立体印刷するために必要な制御コマンド（非立体印刷用の描画命令）を生成し（ステップＳ２０５）、該制御コマンドをＰＤＬコマンド生成部３０３に渡す。
【０１０４】
上記ステップＳ２０２からＳ２０５の処理をファイルデータの全ての解析が終了するまで続ける。
【０１０５】
そして、上記解析が終了する（ステップＳ２０６ＹＥＳ）と、ＰＤＬコマンド生成部３０３は、ジョブ制御コマンド生成部３０２で生成された制御コマンドを用いて、どの構成要素をどこにどのように非立体印刷するか等をＰＤＬ形式で記述したＰＤＬコマンド（非立体印刷描画命令）を生成すると共に、同じくジョブ制御コマンド生成部３０２で生成された立体制御コマンドを用いて、当該立体印刷指定されたオブジェクトを指定条件で立体印刷するために必要な立体ＰＤＬコマンド（立体印刷描画命令）を生成し（ステップＳ２０７）、これらＰＤＬコマンド及び立体ＰＤＬコマンドを印刷ジョブとしてプリンタ４０に送出する（ステップＳ２０８）。
【０１０６】
なお、この処理における立体ＰＤＬコマンドとは、立体印刷対象として、例えば、特定文字“※”が指定されている場合には、該“※”に対応付けて“立体印刷せよ”を指示する立体印刷描画命令が記述されたものである。
【０１０７】
また、特定文字“※”に関して、更に、“高さ：２mm”、“盛上がり形状：かまぼこ型”等の立体出力仕様が指定されている場合には、該“※”に対応付けて“立体印刷せよ”＋“盛上がり形状をかまぼこ型にせよ”＋“重なりを反映せよ”を指示する立体印刷描画命令が記述されることになる。
【０１０８】
図７は、プリンタ４０の印刷処理動作を示すフローチャートである。
【０１０９】
プリンタ４０は、プリンタドライバ３０からネットワーク５０を通じて送られてくる印刷ジョブ（印刷データ：ＰＤＬコマンドのみの場合と、ＰＤＬコマンド＋立体ＰＤＬコマンドの場合がある）を受信すると（ステップＳ３０１ＹＥＳ）、ジョブ制御コマンド解析部４２１が該印刷ジョブ中の制御コマンドを解析し（ステップＳ３０２）、その解析結果をＰＤＬコマンド解析部４２２に渡す。
【０１１０】
ＰＤＬコマンド解析部４２２は、ジョブ制御コマンド解析部４２１による制御コマンド解析結果を用いて、プリンタドライバ３０からの印刷ジョブ（ＰＤＬコマンドのみの場合と、ＰＤＬコマンド＋立体ＰＤＬコマンドの場合がある）を解析し（ステップＳ３０３）、その解析結果をレンダリング部４２３に渡す。
【０１１１】
レンダリング部４２３は、プリンタドライバ３０から受信したＰＤＬコマンド（または、ＰＤＬコマンド＋立体ＰＤＬコマンド）を、ＰＤＬコマンド解析部４２２の解析結果を用いて１ページ分ずつページメモリにビットマップ展開する。
【０１１２】
その際、レンダリング部４２３は、ＰＤＬコマンド解析部４２２の解析結果を参照して、ＰＤＬコマンドにて描画命令がなされているオブジェクト（非立体印刷オブジェクト）に対応する画素については、例えば、４色（Ｙ，Ｍ，Ｃ，ＢＫ：画像形成部４３の構成に依存）の多色階調データを対応付け、立体ＰＤＬコマンドにて描画命令がなされているオブジェクト（立体印刷オブジェクト）に対応する画素については、上記４色の階調データに加えて、発泡トナー量を示す階調データ（Ｈ）を対応付けるようにして上記ビットマップ展開を行う（ステップＳ３０４）。
【０１１３】
そして、１ページ分のビットマップ展開が終了する毎に、該ビットマップ上の画素毎の階調データ（Ｙ，Ｍ，Ｃ，ＢＫ，Ｈ）を順に画像形成部４３に送出する（ステップＳ３０５）。
【０１１４】
画像形成部４３は、レンダリング部４２３から送出される各画素の階調データを用いて記録走査を行い、記録用紙６０上に画像を印刷して出力する。
【０１１５】
次に、画像形成部４３におけるプリント動作について説明する。
【０１１６】
画像形成部４３は、例えば、Ｙ，Ｍ，Ｃ，ＢＫの４色のトナー（通常トナー：非発泡トナー）像をそれぞれ形成可能な露光／現像部、並びに発泡トナー（Ｈ）像を形成可能な露光／現像部を有し、更には、各色の露光／現像部で形成された４色のトナー像及び発泡トナー像を多重転写（一次転写）する中間転写体、該中間転写体に多重転写されたトナー像を記録用紙に転写（二次転写）する転写部、該転写部によって上記トナー像が転写された記録用紙上に当該トナー像を定着する定着部を有する。
【０１１７】
画像処理部４２のレンダリング部４２３で生成された、Ｙ、Ｍ、Ｃ、ＢＫの４色の多色階調データ及び発泡トナー階調データ（Ｈ）は画像形成部４３のそれぞれ該当する露光／現像部に送られ、当該各露光／現像部毎に各色トナー像と発泡トナー像がそれぞれ形成される。
【０１１８】
次いで、これら各色トナー像と発泡トナー像は中間転写体に順次重ね合わせた状態で転写され、更にこの中間転写体から記録用紙上に一括転写される。
【０１１９】
ここで、中間転写体に多重転写されたトナー像をその後に記録用紙に転写した場合には、多重転写トナー像の順番が逆転し、発泡トナー像が最下層に転写される。
【０１２０】
これにより、記録用紙に多重転写されたトナー像を定着部により定着する際には、その時に加えられる熱により最下層の発泡トナーが発泡し、立体化する。また、この発泡により立体化した発泡トナー上に多重転写される各色のトナー像は、この時のトナー色数に対応するカラー画像となって定着される。
【０１２１】
結果として、立体化された発泡トナー（立体材料）上にカラー画像（色材）が形成された立体カラー画像が記録用紙上に形成される。
【０１２２】
図８は、プリンタ４０の画像形成部４３における転写及び定着プロセスを説明するためのトナー像の概念断面構成図である。
【０１２３】
ここで、図８（ａ）〜（ｅ）は一次転写プロセスを示し、図８（ｆ）は二次転写プロセスを示し、図８（ｇ）は定着プロセスを示している。また、図８のＡ，Ｂ，はそれぞれ着目画素を示している。
【０１２４】
図８において、画素Ａは立体印刷指示のなされたオブジェクトに相当する画素である。この画素Ａは、一次転写プロセス〔図８（ａ）〜（ｅ）〕においてＹ，Ｍ，Ｃ，ＢＫ，Ｈの各トナー像が中間転写体上に順次多重転写され、次いで二次転写プロセス〔図８（ｆ）〕では当該多重転写トナー層が反転して記録用紙６０に転写され、更に定着プロセス〔図８（ｇ）〕では最下層の発泡トナー（Ｈ）が発泡しかつその上に各色トナーが溶融、定着されて立体カラー画像が形成されている。
【０１２５】
画素Ｂは通常プリント対象の（立体印刷指示のなされない）オブジェクトに相当する画素である。この画素Ｂは、一次転写プロセス〔図８（ａ）〜（ｅ）〕においてＹ，Ｍ，Ｃ，ＢＫの各トナー像が中間転写体上に順次多重転写され、次いで二次転写プロセス〔図８（ｆ）〕では当該多重転写トナー層が反転して記録用紙に転写され、更に定着プロセス〔図８（ｇ）〕では当該多重転写された各色トナーが溶融、定着されて通常の（平面的な）カラー画像が形成されている。
【０１２６】
図８に示した印刷プロセスからも分かるように、印刷対象の文書情報のうち、発泡トナー階調データ（Ｈ）を付与されたものが立体画像として印刷される。
【０１２７】
印刷対象の文書情報のどの画素に階調データ（Ｈ）を付与するかについては、該階調データ（Ｈ）を用いて立体印刷すべきオブジェクトを特定できれば良い。
【０１２８】
これを実現すべく、本発明のシステムでは、アプリケーション２０が、立体印刷すべきオブジェクト、及び立体出力仕様を含む立体印刷指示を行う立体印刷指示機能（ＵＩ画面１２０：図３参照）を有する。
【０１２９】
このＵＩ画面１２０を用いて立体印刷指示を与えることにより、アプリケーション２０では、印刷対象の文書情報から立体印刷指示されたオブジェクトを、同時に指示された立体出力仕様で立体印刷することを指示する立体印刷指示情報を含む立体画像データが生成される。
【０１３０】
プリンタドライバ３０では、アプリケーション２０から送られてくる立体画像データに付加される立体印刷指示情報に基づき、該立体印刷指示情報が付加されたオブジェクトを立体印刷指示通りの立体出力仕様で立体印刷するために必要な制御コマンド（立体印刷描画命令）が生成され、プリンタ４０では、プリンタドライバ３０から受信する上記立体印刷描画命令に従って、立体印刷対象オブジェクトを構成する各画素に対して、指定された立体出力仕様を施し得る階調データ（Ｈ）を付与し、当該オブジェクトを当該立体出力仕様を満足する立体画像として印刷することを可能にしている。
【０１３１】
次に、ＵＩ画面１２０における立体印刷指示操作と、該操作に基づき生成される立体画像データ、並びに該立体画像データに基づく立体画像印刷形態の関係について説明する。
【０１３２】
図３に示すＵＩ画面１２０において、“立体印刷する”＋“立体印刷対象オブジェクト（便宜的に、Ｘとする）”から成る立体印刷指示（以下、立体印刷指示Ｐ１という）がなされた場合、アプリケーション２０では、“オブジェクトＸを立体印刷する”ことを指示する立体印刷指示情報を含む立体画像データが生成される。
【０１３３】
次いで、プリンタドライバ３０では、アプリケーション２０から受け取った上記立体画像データ中の立体印刷指示情報に基づいて、“オブジェクトＸを立体印刷せよ”を意味する立体印刷描画命令、例えば、＜立体Ｐ／オブジェクトＸ＞が生成される。
【０１３４】
そして、プリンタ４０は、プリンタドライバ３０から立体印刷描画命令＜立体Ｐ／オブジェクトＸ＞が与えられると、該オブジェクトＸを構成する画素に例えばデフォルトの階調データ（Ｈ０）を付与した立体印刷データを生成し、該立体印刷データに基づき、当該オブジェクトＸ（テキスト、グラフィック、イメージ、テキスト中の特定文字等）をデフォルトの高さ（ｈ０：発泡後の高さ）及び盛上がり形状（四角形）を有する立体画像として印刷する。この時、立体印刷データには元データの色が反映され、立体画像の色は元データの色となる。
【０１３５】
また、上記立体印刷指示Ｐ１に際して、更に“高さ〔ｈ１（例えば、２mm）〕”の立体印刷指示がなされた場合、アプリケーション２０では、“オブジェクトＸを、指定された高さ（ｈ１）で立体印刷する”ことを指示する立体印刷指示情報を含む立体画像データが生成される。
【０１３６】
次いで、プリンタドライバ３０では、アプリケーション２０から受け取った上記立体画像データ中の立体印刷指示情報に基づいて、“オブジェクトＸを、指定された高さ（ｈ１）で立体印刷せよ”を意味する立体印刷描画命令、例えば、＜立体Ｐ／高さ（ｈ１）／オブジェクトＸ＞が生成される。
【０１３７】
プリンタ４０は、プリンタドライバ３０から上記立体印刷描画命令＜立体Ｐ／高さ（ｈ１）／オブジェクトＸ＞が与えられると、デフォルトの階調データ（Ｈ０）に仕様変更を施して、今回指定された高さ（ｈ１）に見合う階調データ（Ｈ１）を生成し、該階調データ（Ｈ１）をオブジェクトＸを構成する画素に付与して立体印刷データを生成する。
【０１３８】
そして、この立体印刷データに基づき、当該オブジェクトＸを、今回指定された高さ（ｈ１）を有し、かつデフォルトの盛上がり形状を有する立体画像として印刷する。この時、立体印刷データには元データの色が反映され、立体画像の色は元データの色となる。
【０１３９】
また、上記立体印刷指示Ｐ１に際して、更に“盛上がり形状（例えば、かまぼこ型）”の立体印刷指示がなされた場合、アプリケーション２０では、“オブジェクトＸを、指定された盛上がり形状（かまぼこ型）で立体印刷する”ことを指示する立体印刷指示情報を含む立体画像データが生成される。
【０１４０】
次いで、プリンタドライバ３０では、アプリケーション２０から受け取った上記立体画像データ中の立体印刷指示情報に基づいて、“オブジェクトＸを、指定された盛上がり形状（かまぼこ型）で立体印刷せよ”を意味する立体印刷描画命令、例えば、＜立体Ｐ／盛上がり形状（かまぼこ型）／オブジェクトＸ＞が生成される。
【０１４１】
プリンタ４０は、プリンタドライバ３０から立体印刷描画命令＜立体Ｐ／盛上がり形状（かまぼこ型）／オブジェクトＸ＞が与えられると、デフォルトの階調データ（Ｈ０）に必要に応じて仕様変更を施して、今回指定された盛上がり形状（かまぼこ型）に見合う階調データ（Ｈ０１），（Ｈ０２），（Ｈ０），…を生成し、これら階調データ（Ｈ０１，Ｈ０２，Ｈ０，…）をオブジェクトＸを構成する各画素に付与して（例えば、立体画像中央部にＨ０を配置し、短部に向かってかまぼこ状に低くなるようにＨ０１，Ｈ０２等を配置する）立体印刷データを生成する。
【０１４２】
そして、この立体印刷データに基づき、当該オブジェクトＸを、今回指定された盛上がり形状（かまぼこ型）を有する立体画像として印刷する。この時、立体印刷データには元データの色が反映され、立体画像の色は元データの色となる。
【０１４３】
盛上がり形状として、他の形状（三角型や波型等）が指定された場合も、当該形状に見合う階調データ（Ｈ０１，Ｈ０２，Ｈ０，…）の生成とオブジェクトＸを構成する各画素への配置処理を経て、当該オブジェクトＸを当該指定された盛上がり形状を有する立体画像として印刷できる。
【０１４４】
また、上記立体印刷指示Ｐ１に際して、更に“色（例えば、グラデーション）”の立体印刷指示がなされた場合、アプリケーション２０では、“オブジェクトＸを、指定された色（グラデーション）で立体印刷する”ことを指示する立体印刷指示情報を含む立体画像データが生成される。
【０１４５】
次いで、プリンタドライバ３０では、アプリケーション２０から受け取った上記立体画像データ中の立体印刷指示情報に基づいて、“オブジェクトＸを、指定された色（グラデーション）で立体印刷せよ”を意味する立体印刷描画命令、例えば、＜立体Ｐ／色（グラデーション）／オブジェクトＸ＞が生成される。
【０１４６】
プリンタ４０は、プリンタドライバ３０から上記立体印刷描画命令＜立体Ｐ／色（グラデーション）／オブジェクトＸ＞が与えられると、当該オブジェクトＸを構成する画素に例えばデフォルトの階調データ（Ｈ０）を付与する一方で、今回指定された色（グラデーション）に見合う多色階調データ（Ｙ１１，Ｍ１１，Ｃ１１等：グラデーションパターンに対応して予め用意されている。）を当該オブジェクトＸを構成する各画素にそれぞれ付与することにより立体印刷データを生成する。
【０１４７】
そして、この立体印刷データに基づき、当該オブジェクトＸを、デフォルトの高さ（ｈ０）有し、かつ今回指定された色（グラデーション）に相当する多色トナー像が載せられた立体画像として印刷する。この時、立体印刷データには元データの色は反映されず、立体画像の色は今回指定された色となる。
【０１４８】
立体画像の色として、他の色（単色や、各種グラデーション）が指定された場合も、当該色に見合う階調データ（Ｙ１１，Ｍ１１，Ｃ１１等）の生成とオブジェクトＸを構成する各画素への配置処理を経て、当該オブジェクトＸを当該指定された色を有する立体画像として印刷できる。
【０１４９】
また、上記立体印刷指示Ｐ１に際して、更に“データ拡縮（例えば、ｎ％）”の立体印刷指示がなされた場合、アプリケーション２０では、“オブジェクトＸに、指定されたデータ拡縮（ｎ％：この例では拡大）を施して立体印刷する”ことを指示する立体印刷指示情報を含む立体画像データが生成される。
【０１５０】
次いで、プリンタドライバ３０では、アプリケーション２０から受け取った上記立体画像データ中の立体印刷指示情報に基づいて、“オブジェクトＸに、指定されたデータ拡縮（ｎ％：この例では拡大）を施して立体印刷せよ”を意味する立体印刷描画命令、例えば、＜立体Ｐ／データ拡大（ｎ％）／オブジェクトＸ＞が生成される。
【０１５１】
プリンタ４０は、プリンタドライバ３０から上記立体印刷描画命令＜立体Ｐ／データ拡大（ｎ％）／オブジェクトＸ＞が与えられると、まず、当該オブジェクトＸを構成する元データを今回指定された割合で拡大して拡大画像データを生成する。
【０１５２】
次いで、この拡大画像データを構成する画素に、例えば、デフォルトの階調データ（Ｈ０）と、元データの多色階調データを付与して拡大立体印刷データを生成する。
【０１５３】
そして、この拡大立体印刷データに基づき、当該オブジェクトＸを、デフォルトの高さ（ｈ０）有し、かつ今回指定された拡縮率で拡縮されたサイズを有する立体画像（この例では、拡大立体画像）として印刷する。この時、拡大立体印刷データには元データの色が反映され、拡大立体画像の色は元データの色となる。
【０１５４】
データの拡縮に関して、データ縮小が指定された場合も、元データを今回指定された割合で縮小して縮小画像データを生成し、該縮小画像データの各画素に階調データ（Ｈ）と多色階調データを付与した縮小印刷データを生成することで、該指定された割合で縮小された立体画像の印刷が行える。
【０１５５】
また、上記立体印刷指示Ｐ１に際して、更に“立体強調（例えば、縁取り）”の立体印刷指示がなされた場合、アプリケーション２０では、“オブジェクトＸに、指定された立体強調（縁取り）を施して立体印刷する”ことを指示する立体印刷指示情報を含む立体画像データが生成される。
【０１５６】
次いで、プリンタドライバ３０では、アプリケーション２０から受け取った上記立体画像データ中の立体印刷指示情報に基づいて、“オブジェクトＸに、指定された立体強調（縁取り）を施して立体印刷せよ”を意味する立体印刷描画命令、例えば、＜立体Ｐ／立体強調（縁取り）／オブジェクトＸ＞が生成される。
【０１５７】
プリンタ４０は、立体印刷描画命令＜立体強調（縁取り）／オブジェクトＸ＞が与えられると、当該オブジェクトＸを構成する画素の隣接画素に対応する多色階調データに仕様変更（色変更）を施すことにより、今回指定された立体強調（縁取り）に見合う縁取り画像用の階調データを生成して該当各画素に付与する一方で、当該オブジェクトＸを構成する画素には元データの多色階調データ及びデフォルトの階調データ（Ｈ０）を付与して立体強調印刷データを生成する。
【０１５８】
そして、この立体強調印刷データに基づき、当該オブジェクトＸを、デフォルトの高さ（ｈ０）有し、かつ今回指定された立体強調が施された立体画像（この例では、縁取りのなされた立体画像：但し、縁取り画像は非立体印刷）として印刷する。
【０１５９】
立体強調として、他の強調方法（陰影付け等）が指定された場合も、オブジェクトＸを構成する各画素の隣接画素から当該立体強調用の画像データを生成し、該立体強調用画像データを用いて、オブジェクトＸの立体画像に隣接位置に、強調画像を非立体印刷することにより対応できる。
【０１６０】
また、上記立体印刷指示Ｐ１に際して、更に“立体面パターン（例えば、シェード１）”の立体印刷指示がなされた場合、アプリケーション２０では、“オブジェクトＸを、指定された立体面パターン（シェード１）で立体印刷する”ことを指示する立体印刷指示情報を含む立体画像データが生成される。
【０１６１】
次いで、プリンタドライバ３０では、アプリケーション２０から受け取った上記立体画像データ中の立体印刷指示情報に基づいて、“オブジェクトＸを、指定された立体面パターン（シェード１）で立体印刷せよ”を意味する立体印刷描画命令、例えば、＜立体Ｐ／立体面パターン（シェード１）／オブジェクトＸ＞が生成される。
【０１６２】
プリンタ４０は、プリンタドライバ３０から立体印刷描画命令＜立体Ｐ／立体面パターン（シェード１）／オブジェクトＸ＞が与えられると、今回指定された立体面パターン（シェード１）に対応して予め用意されている発泡トナー用階調データ（Ｈ）を読み出してデフォルトの階調データ（Ｈ０）に仕様変更を施すことにより、当該指定された立体面パターン（シェード１）に見合う階調データ（Ｈ０），（Ｈ２），（Ｈ４），…を生成し、これら階調データ（Ｈ０１，Ｈ０２，Ｈ４，…）をオブジェクトＸを構成する各画素に付与して〔例えば、立体面に高低差（凹凸）を付け得るように、Ｈ０１，Ｈ０２，Ｈ４，…を配置する。〕立体印刷データを生成する。
【０１６３】
そして、この立体印刷データに基づき、当該オブジェクトＸを、立体面表面が、今回指定された立体面パターン（この例では、シェード１：高さｈ４の部分と高さｈ０の部分とが混在して立体面が凹凸を呈する）を成す立体画像として印刷する。この時、立体印刷データには元データの色が反映され、立体画像の色は元データの色となる。
【０１６４】
立体面パターンは、複数用意することができ、所望の立体面パターンを使って立体画像を印刷することにより、該立体画像の表面上で各種パターンの網掛け効果を持たせることができる。
【０１６５】
また、上記立体印刷指示Ｐ１に際して、更に“重なり指定（例えば、重なりを反映、等）”の立体印刷指示がなされた場合、アプリケーション２０では、“オブジェクトＸに、指定された重なり処理（重なりを反映）を施して立体印刷する”ことを指示する立体印刷指示情報を含む立体画像データが生成される。
【０１６６】
次いで、プリンタドライバ３０では、アプリケーション２０から受け取った上記立体画像データ中の立体印刷指示情報に基づいて、“オブジェクトＸに、指定された重なり処理（重なりを反映）を施して立体印刷せよ”を意味する立体印刷描画命令、例えば、＜立体Ｐ／重なり処理（重なりを反映）／オブジェクトＸ＞が生成される。
【０１６７】
プリンタ４０では、プリンタドライバ３０から上記立体描画命令＜立体Ｐ／重なり処理（重なりを反映）／オブジェクトＸ＞を与えられると、当該オブジェクトＸと重なり合うオブジェクト（例えば、Ｘ１）がある場合に、これらオブジェクトＸとＸ１を構成する画素に例えばデフォルトの階調データ（Ｈ０）を付与するのに加えて、両オブジェクトの重なり合う領域の画素に今回指示された重なり処理〔この例では、重なり領域の高さをｎ（ｎ＝重なり数）倍〕に見合う階調データ（Ｈｎ）を付与して立体印刷データを生成し、該立体印刷データを用いて、オブジェクトＸとＸ１がそれぞれ立体化され、かつ両者の重なり合う領域に今回指定された重なり処理（重なり領域の高さをｎ倍）が施された立体画像を印刷する。
【０１６８】
ここで、ＵＩ画面１２０の重なり指定欄において、例えば、“重なり指定＝重なりを無視”の指定がなされた場合、重なり合う部分がオブジェクトＸ，Ｘ１のいずれかの高さに一致する形態の立体画像印刷が行われる。
【０１６９】
また、“重なり指定＝重なりを立体にしない”の指定がなされた場合、重なり合う部分が通常プリント（非立体印刷）される。
【０１７０】
また、“重なり指定＝重なりを論理演算”の指定がなされた場合、重なり合う部分がオブジェクトＸ，Ｘ１の高さから、指定された論理演算により求められた高さに変更された立体画像印刷が行われる。
【０１７１】
なお、例えば、上記立体印刷指示Ｐ１に際して、“立体画像を最後に印刷”の立体印刷指示がなされた場合、アプリケーション２０では、この時に立体印刷指示されたオブジェクトＸを最後に印刷することを指示する立体印刷指示情報を含む立体画像データが生成される。
【０１７２】
次いで、プリンタドライバ３０では、アプリケーション２０から受け取った上記立体画像データ中の立体印刷指示情報に基づいて、当該オブジェクトＸに対して更に当該印刷順序（印刷順序＝最後）を反映させる旨の命令を付加した立体印刷描画命令が生成され、プリンタ４０では、該描画命令によって、オブジェクトＸを構成する画素に対して上記の如くのデフォルトの階調データ（Ｈ０）が付与されたうえで、該階調データ（Ｈ０）に基づく発泡トナーの印刷を最後に行う制御がなされ、当該オブジェクトＸをデフォルトの発泡高さ（ｈ０）を有しかつ最下面が発泡してその上に多色画像が形成された立体画像〔例えば、図８（ｇ）の画素Ａのように、発泡トナーＨが最下層に転写される画像〕として印刷することができる。
【０１７３】
逆に、上記立体印刷指示Ｐ１に際して、“立体画像を最初に印刷”の立体指示がなされた場合、アプリケーション２０では、この時に立体印刷指示されたオブジェクトＸを最初に印刷することを指示する立体印刷指示情報を含む立体画像データが生成される。
【０１７４】
次いで、プリンタドライバ３０では、アプリケーション２０から受け取った上記立体画像データ中の立体印刷指示情報に基づいて、該オブジェクトＸに対して更に当該指定印刷順序（印刷順序＝最初）を反映させる旨の命令を付加した立体印刷描画命令が生成され、プリンタ４０は、該描画命令によって、オブジェクトＸを構成する画素に対して上記の如くのデフォルトの階調データ（Ｈ０）が付与されたうえで、該階調データ（Ｈ０）に基づく発泡トナーの印刷を最初に行う制御がなされ、当該オブジェクトをデフォルトの発泡高さ（ｈ０）を有しかつ最上面が発泡した不透明の立体画像〔例えば、図８（ｇ）の画素Ａとは逆に、発泡トナーＨが最上層に転写される画像〕として印刷することができる。
【０１７５】
この場合、プリンタ４０は、画像形成部３３における二次転写で、Ｙ，Ｍ，Ｃ，ＢＫ，Ｈの各トナーの重なり順が逆転するのを踏まえ、“立体画像を最後に印刷する”ことを指示する描画命令に対しては、発泡トナー（Ｈ）用の露光／現像処理がＹ，Ｍ，Ｃ，ＢＫ用の露光／現像処理よりも後に行われるように、また、“立体画像を最初に印刷する”ことを指示する描画命令に対しては、発泡トナー（Ｈ）用の露光／現像処理がＹ，Ｍ，Ｃ，ＢＫ用の露光／現像処理よりも先に行われるように制御する機能を備える必要がある。
【０１７６】
また、図３に示すＵＩ画面１２０において、“立体印刷する”＋“特徴量高さ割当て指定（例えば、明度を高さに変換）”から成る立体印刷指示がなされた場合、アプリケーション２０では、“印刷対象の文書情報を、指定された特徴量高さ割当て（明度を高さに変換）により立体印刷する”ことを指示する立体印刷指示情報を含む立体画像データが生成される。
【０１７７】
次いで、プリンタドライバ３０では、アプリケーション２０から受け取った上記立体画像データ中の立体印刷指示情報に基づいて、“印刷対象の文書情報を、指定された特徴量高さ割当て（明度を高さに変換）により立体印刷せよ”を意味する立体印刷描画命令、例えば、＜立体Ｐ／特徴量高さ割当て（明度）＞が生成される。
【０１７８】
プリンタ４０は、プリンタドライバ３０から上記立体印刷描画命令＜立体Ｐ／特徴量高さ割当て（明度）＞が与えられると、印刷対象の文書情報中の全オブジェクトを対象に、今回特徴量割当て指定された特徴量（明度）を抽出し、該特徴量を高さ情報に変換する。
【０１７９】
次いで、抽出した高さに対応した発泡トナー用階調データ（Ｈｎ１，Ｈｎ２，…）を生成し、該用階調データ（Ｈｎ１，Ｈｎ２，…）を該当する各画素に付加することにより立体印刷データを生成する。
【０１８０】
そして、この立体印刷データに基づき、印刷対象の文書情報中の各オブジェクトが、該オブジェクトの元データの特徴量（この例では、明度）に対応した高さを有する立体画像として印刷される。
【０１８１】
これにより、例えば、特徴量高さ割当て指定において、“明度を高さに変換”が指定された場合、立体印刷対象文書情報中の各オブジェクトが当該各オブジェクトの元データの明度に対応した高さを有する立体画像として印刷される。
【０１８２】
この“明度を高さに変換”指定による具体的な印刷出力例としては、高さ変換する明度として例えば明度６を指定し、元データが明度６を有するオブジェクトを該明度６に対応した６mmの高さを有する立体画像として印刷することができる。
【０１８３】
同様に、“彩度を高さに変換”，“色相を高さに変換”，“濃度を高さに変換”が指定された場合、立体印刷対象の文書情報中の各オブジェクトが、それぞれ、当該各オブジェクトの元データの彩度、色相、濃度に対応した高さを有する立体画像として印刷される。
【０１８４】
この特徴量高さ変換指定に基づく立体印刷時の印刷処理において、特徴量は、例えば、予め決められた計算式により自動的に出力仕様の値（高さ）に変換することができる。また、自動変換により得られた出力仕様の値に、任意倍率で変更可能にする指示手段を設けても良い。
【０１８５】
また、特徴量を出力仕様の値に変換する際の単位変換方法としては、マンセル表色系から高さ（mm）、あるいはＬ＊ａ＊ｂ＊表色系から高さ（mm）といった方法がある。
【０１８６】
次に、ＵＩ画面１２０における立体対象指定１欄内の各ツール（立体描画レイヤー、立体オブジェクトパレット、立体領域、立体オーバレイの各ボタン）を用いた立体印刷指示操作と該指示操作に基づく印刷動作について説明する。
【０１８７】
ＵＩ画面１２０において、立体対象指定１欄内の立体描画レイヤーボタンが押下されると、ＰＣ１０の表示部１２には、図９に示すような立体描画レイヤー印刷設定画面１２１が表示される。
【０１８８】
すなわち、この立体描画レイヤー印刷設定画面１２１には、印刷対象の文書情報のレイヤー構成１２１ａと、該レイヤー構成１２１ａ中の各レイヤーのうちから立体印刷するレイヤーを指定する立体描画レイヤー指定ツール１２１ｂとが表示される。
【０１８９】
図９における立体描画レイヤー印刷設定画面１２１に表示されるレイヤー構成１２１ａからも分かるように、この例では、レイヤー１，２，３，４の４つのレイヤーから構成される文書情報が印刷対象とされている。
【０１９０】
そして、立体描画レイヤー指定ツール１２１ｂでは、上記４つのレイヤーのうちのレイヤー１とレイヤー３を立体印刷することが指示（該当するＣＢにレ点のチェックが入れられている。）されている。
【０１９１】
図９に示す立体印刷指示条件が設定された状態で、設定完了を示す“ＯＫ”ボタンが押下され、印刷開始指示操作がなされると、アプリケーション２０は、該印刷対象の文書情報中の立体描画レイヤー指定ツール１２１ｂによって選択されたレイヤー、すなわちレイヤー１とレイヤー３を立体印刷することを指示する立体印刷指示情報（立体描画レイヤー）を含む立体画像データを生成し、プリンタドライバ３０に送出する。
【０１９２】
次いで、プリンタドライバ３０は、アプリケーション２０から受け取った上記立体画像データ中の立体描画レイヤーに基づいて、“立体描画レイヤーを立体印刷せよ”を意味する立体印刷描画命令、例えば、＜立体Ｐ／立体描画レイヤー＞を生成し、プリンタ４０に送出する。
【０１９３】
プリンタ４０は、プリンタドライバ３０から上記立体印刷描画命令＜立体Ｐ／立体描画レイヤー＞が与えられると、印刷対象の文書情報中の立体描画レイヤーを抽出し、該立体描画レイヤー上の画像を構成する画素に例えばデフォルトの階調データ（Ｈ０）を付与した立体印刷データを生成し、該立体印刷データに基づき、当該画像（立体描画レイヤー上の画像）をデフォルトの高さ（ｈ０：発泡後の高さ）及び盛上がり形状（四角形）を有する立体画像として印刷する。
【０１９４】
図１０は、立体描画レイヤー印刷設定画面１２１上での立体描画レイヤー指定に基づく印刷出力結果を示す概念図である。
【０１９５】
この例では、図９における立体描画レイヤー指定ツール１２１ｂからの指定に従い、レイヤー１上の画像（矩形画像）と、レイヤー３上の画像（楕円画像＋“こんにちは”）とが立体画像として印刷出力されている。
【０１９６】
その際、立体描画レイヤー指定ツール１２１ｂからの立体印刷指定がなかったレイヤー２上の画像（テキスト文字＝“立体印刷は表現力豊か”）及びレイヤー４上の画像（線の画像）は、それぞれ、通常の形態（非立体画像）で上記レイヤー１および３の各画像と混在して印刷出力される。
【０１９７】
このように、本発明において、アプリケーション２０は、ＵＩ画面１２０に設けられる立体描画レイヤーボタン押下後に表示される立体描画レイヤー指定ツール１２１ｂからの立体印刷指示を受け付け、少なくとも１つのレイヤーで立体を指定する立体画像レイヤーを含む複数レイヤーの画像データを立体画像データとして生成する機能を有する。
【０１９８】
これにより、本発明のシステムでは、複数のレイヤーによって構成される文書情報を対象にして、その中の所望のレイヤーを立体印刷することを指示することで、当該指示されたレイヤーの画像のみを立体印刷することが可能となる。
【０１９９】
なお、この立体描画レイヤーを用いた立体印刷指示機能については、非立体描画レイヤーおよび立体描画レイヤーはそれぞれ複数生成できることは言うまでもない。
【０２００】
また、立体描画レイヤーは、それぞれ、立体印刷対象画像における盛上がり高さ、形状等に関する属性を設定できるようにしても良い。この場合、個々の立体描画レイヤー毎に上記属性を設定する構成に限らず、全ての立体描画レイヤーについて上記属性を一括して設定する構成としても良い。
【０２０１】
また、非立体描画レイヤー、立体描画レイヤーの重ね合わせの順序を任意の設定可能な構成としても良い。
【０２０２】
また、立体描画レイヤーを非立体描画レイヤーに反転し、非立体描画レイヤーを立体描画レイヤーに反転すると言うように、立体描画レイヤーと非立体描画レイヤー間の反転を行える機能を設けても良い。
【０２０３】
更には、レイヤーのプロパティとして立体指定を実現できる構成とすることも可能である。
【０２０４】
また、ＵＩ画面１２０において、立体対象指定１欄内の立体オブジェクトパレットボタンが押下されると、ＰＣ１０の表示部１２には、図１１に示すような立体オブジェクトパレット印刷設定画面１２２が表示される。
【０２０５】
すなわち、この立体オブジェクトパレット印刷設定画面１２２には、立体印刷を指示する対象として選択可能な各種立体描画オブジェクト（この例では、矩形、円、スラッシュ等）に各々対応する立体描画オブジェクト選択ボタン１２２ａと、該立体描画オブジェクト選択ボタン１２２ａを用いて選択された立体描画オブジェクトに対応して既に設定されている立体印刷指示条件を表示する設定条件表示領域１２２ｂと、設定条件表示領域１２２ｂに表示されている立体印刷指示条件を編集することを指示する編集ボタン１２２ｃ、立体描画オブジェクト選択ボタン１２２ａに新たに立体印刷指示対象の立体描画オブジェクトを追加することを指示する追加ボタン１２２ｄ、立体描画オブジェクト選択ボタン１２２ａにより選択した立体描画オブジェクトを対象にした立体印刷指示が完了したことを指示する“ＯＫ”ボタン１２２ｅが表示される。
【０２０６】
ここで、各立体描画オブジェクト選択ボタン１２２ａに対しては、当該立体描画オブジェクトを立体印刷する場合の立体印刷設定条件が事前の編集処理によって予め設定されており、立体描画オブジェクト選択ボタン１２２ａによりある立体描画オブジェクトを選択した時には、該選択された立体描画オブジェクトに対応する立体印刷設定条件が設定条件表示領域１２２ｂに表示される。
【０２０７】
図１１の例においては、立体描画オブジェクト選択ボタン１２２ａにより「立体描画オブジェクト＝矩形」が選択されることにより、該矩形を、盛上がり形状＝かまぼこ型、盛上がり高さ＝０．５ｍｍ、色＝赤という条件で立体印刷する立体印刷設定条件が表示されている。
【０２０８】
この「立体描画オブジェクト＝矩形」が選択された状態で、“ＯＫ”ボタン１２２ｅが押下され、印刷開始指示操作がなされると、アプリケーション２０は、印刷対象の文書情報中の矩形のオブジェクトを抽出し、該矩形のオブジェクトを立体印刷することを指示する立体印刷指示情報（立体描画オブジェクト）を含む立体画像データを生成し、プリンタドライバ３０に送出する。
【０２０９】
次いで、プリンタドライバ３０は、アプリケーション２０から受け取った上記立体画像データ中の立体描画オブジェクトに基づいて、“立体描画オブジェクトを立体印刷せよ”を意味する立体印刷描画命令、例えば、＜立体Ｐ／立体描画オブジェクト＞を生成し、プリンタ４０に送出する。
【０２１０】
プリンタ４０は、プリンタドライバ３０から上記立体印刷描画命令＜立体Ｐ／立体描画オブジェクト＞が与えられると、印刷対象の文書情報中の立体描画オブジェクトを抽出し、該立体描画オブジェクトに相当する画像を構成する画素に対して、当該立体描画オブジェクトに対して設定されている立体印刷条件に従って階調データを付与した立体印刷データを生成する。
【０２１１】
この例では、アプリケーション２０によって立体印刷指示された矩形の描画オブジェクトの各画素に対して、高さ＝０．５ｍｍ、盛上がり形状＝かまぼこ型に見合う階調データ〔Ｈ（高さ）成分〕を付与した立体印刷データを生成し、該立体印刷データに基づき、当該画像（立体描画オブジェクト＝矩形）を指定された高さ（０．５ｍｍ：発泡後の高さ）及び盛上がり形状（かまぼこ型）を有する立体画像として印刷する。
【０２１２】
この時、当該立体描画オブジェクト（矩形）の各画素のＹ，Ｍ，Ｃ成分の階調データについては、アプリケーション２０から立体印刷指示された色（この例では赤）に見合う階調データを付与し、該階調データに基づき、上述した立体形状を有する赤色の立体画像として印刷する。
【０２１３】
図１２は、立体オブジェクトパレット印刷設定画面１２２を用いた立体印刷指示に基づく印刷出力結果を示す概念図である。
【０２１４】
この例では、図１１における立体オブジェクトパレット印刷設定画面１２２上で立体描画オブジェクト選択ボタン１２２ａにより選択された「立体描画オブジェクト＝矩形」に対する立体印刷指示に基づき、例えば、円形、矩形及びテキスト文字“立体印刷は表現力豊か”から成る印刷対象の文書情報のうち、矩形の文書情報のみが立体画像（立体画像であることを斜線で現している。）として記録用紙６０に印刷出力されている。
【０２１５】
このように、本発明において、アプリケーション２０は、ＵＩ画面１２０に設けられる立体オブジェクトパレットボタン押下後に表示される立体オブジェクトパレット印刷設定画面１２２中の立体描画オブジェクトの選択による立体印刷指示を受け付け、当該選択された特定の描画オブジェクトに対応する画像を立体として指定する立体描画オブジェクトを含む画像データを立体画像データとして生成する機能を有する。
【０２１６】
これにより、本発明のシステムでは、立体オブジェクトパレット印刷設定画面１２２中の立体描画オブジェクト選択ボタン１２２ａを用いて所望の立体描画オブジェクトを選択することにより、印刷対象文書中の当該選択された描画オブジェクトのみを立体画像として印刷することが可能となる。
【０２１７】
なお、図１１に示した立体オブジェクトパレット印刷設定画面１２２においては、各立体描画オブジェクトに対して設定されている立体印刷設定条件を適宜に可変設定することができる。
【０２１８】
これを実現するためには、ある立体描画オブジェクトを選択している状態で編集ボタン１２２ｃを押下し、設定条件表示領域１２２ｂに現在表示されている立体印刷設定条件を所望の条件に変更するような編集作業を行えば良い。
【０２１９】
また、この立体オブジェクトパレット印刷設定画面１２２では、立体描画オブジェクトを適宜に追加することができる。
【０２２０】
これを実現するためには、追加ボタン１２２ｄを押下し、かつ空白の立体描画オブジェクト選択ボタン１２２ａを選択したうえで、設定条件表示領域１２２ｂに、追加しようとする立体描画オブジェクトの形状、立体印刷条件（盛上がり形状、盛上がり高さ、色等）等を入力すれば良い。
【０２２１】
この追加入力操作によって、該当する立体描画オブジェクト選択ボタン１２２ａ（事前に選択した空白のボタン）には、当該入力した立体描画オブジェクトの図形情報が描画され、かつ、当該立体描画オブジェクト選択ボタン１２２ａに対応して当該入力した立体印刷条件が設定される。
【０２２２】
図１３は、立体オブジェクトパレット印刷設定画面１２２における立体描画オブジェクトの編集及び追加設定例を示す図である。
【０２２３】
図１３（ａ）においては、設定済みの立体描画オブジェクト（＝矩形）について、設定条件表示領域１２２ｂ内で、盛上がり形状を“かまぼこ型”から“波型”に、盛上がり高さを“０．５ｍｍ”から“０．７ｍｍ”に、色を赤から青にそれぞれ変更する編集操作がなされた例を示している。
【０２２４】
また、図１３（ｂ）においては、空白の立体描画オブジェクト選択ボタン１２２ｂを選んだ後、設定条件表示領域１２２ｂ内で、立体描画オブジェクト“三角型”，盛上がり形状“波型”，盛上がり高さ“０．６ｍｍ”，色“緑”という立体印刷条件を入力することにより、立体描画オブジェクト“三角型”とその立体印刷条件とが新たに立体オブジェクトパレットに追加された例を示している。
【０２２５】
また、ＵＩ画面１２０において、立体対象指定１欄内の立体領域ボタンが押下されると、ＰＣ１０の表示部１２には、図１４に示すような立体ページレイアウト印刷設定画面１２３が表示される。
【０２２６】
すなわち、この立体ページレイアウト印刷設定画面１２３には、立体印刷を指示しようとする印刷対象の文書情報のページレイアウト情報１２３ａと、該ページレイアウト情報１２３ａ上で選択された領域を立体印刷指示領域として確定する立体印刷領域選択ボタン１２３ｂとが表示される。
【０２２７】
この立体ページレイアウト印刷設定画面１２３において、ページレイアウト情報１２３ａを見ながら印刷対象文書中の立体印刷しようとする領域を決め、入力／操作部１１からマウス等を用いて当該領域を選択した後、立体印刷領域選択ボタン１２３ｂを押下すると、アプリケーション２０は、上記選択された領域内の画像を立体印刷することを指示する立体印刷指示情報（立体描画領域指定情報）を含む立体画像データを生成し、プリンタドライバ３０に送出する。
【０２２８】
次いで、プリンタドライバ３０は、アプリケーション２０から受け取った上記立体画像データ中の立体描画領域指定情報に基づいて、“立体描画指定領域内の文書情報を立体印刷せよ”を意味する立体印刷描画命令、例えば、＜立体Ｐ／立体描画領域指定＞を生成し、プリンタ４０に送出する。
【０２２９】
プリンタ４０は、プリンタドライバ３０から上記立体印刷描画命令＜立体Ｐ／立体描画領域指定＞が与えられると、印刷対象の文書情報中の立体描画領域指定された領域の画像を抽出し、該立体描画指定領域の画像を構成する画素に例えばデフォルトの階調データ（Ｈ０）を付与した立体印刷データを生成し、該立体印刷データに基づき、当該画像（立体描画指定領域内の画像）をデフォルトの高さ（ｈ０：発泡後の高さ）及び盛上がり形状（四角形）を有する立体画像として印刷する。
【０２３０】
図１５は、立体ページレイアウト印刷設定画面１２３による立体描画領域指定に基づく印刷出力結果を示す概念図である。
【０２３１】
この例では、図１４における立体描画領域指定操作に基づき、例えば、矩形の画像、及びテキスト文字“立体印刷は表現力豊か”から成る印刷対象の文書情報のうち、立体ページレイアウト印刷設定画面１２３上で立体印刷指定された領域内の画情報、すなわち、テキスト文字“立体印刷は表現力豊か”のみが立体画像として記録用紙６０に印刷出力されている。
【０２３２】
このように、本発明において、アプリケーション２０は、ＵＩ画面１２０に設けられる立体領域ボタン押下後に表示される立体ページレイアウト印刷設定画面１２３上で立体印刷する領域を指定する操作に基づく立体印刷指示を受け付け、当該指定された特定の領域の画像を立体として指定する立体描画領域指定を含む画像データを立体画像データとして生成する機能を有する。
【０２３３】
これにより、本発明のシステムでは、印刷対象の文書情報の所望の領域を選択して立体印刷することを指示することで、当該選択された領域の画像を簡単に立体印刷することができる。
【０２３４】
なお、図１４の例においては、立体ページレイアウト印刷設定画面１２３上に表示される立体ページレイアウトを用いて立体描画領域の指定を行ったが、これに限らず、印刷対象の文書情報の印刷プレビューを用いて立体描画領域指定を行うようにしても良い。
【０２３５】
この他、立体印刷指示を指定する領域はオブジェクト単位で指定するようにしても良く、また、マスクを指定し、クリップされた領域を立体印刷対象として指示するようにしても良い。
【０２３６】
また、ＵＩ画面１２０において、立体対象指定１欄内の立体オーバレイボタンが押下されると、ＰＣ１０の表示部１２には、図１６に示すような立体オーバレイ印刷設定画面１２４が表示される。
【０２３７】
すなわち、この立体オーバレイ印刷設定画面１２４には、印刷対象の文書情報に重ね合わせて立体画像として印刷するための各種の立体フォーム（フォーム１，２，３，４）１２４ａと、該立体フォーム１２４ａの中から選択された立体フォーム１２４ａを印刷対象の文書情報に重ね合わせるオーバレイ画像として確定する立体フォーム選択ボタン１２４ｂとが表示される。
【０２３８】
この立体オーバレイ印刷設定画面１２４において、例えば、入力／操作部１１からマウス等を用いていずれか所望の立体フォーム１２４ａを選択した後、立体フォーム選択ボタン１２４ｂを押下すると、アプリケーション２０は、上記選択された立体フォーム１２４ａと印刷対象の文書とを合成すると共に、該合成された画像中の立体フォーム１２４ａの画像（立体オーバレイ画像：フォームデータ）を立体印刷することを指示する立体印刷指示情報を含む立体画像データを生成し、プリンタドライバ３０に送出する。
【０２３９】
次いで、プリンタドライバ３０は、アプリケーション２０から受け取った上記立体画像データ中の立体オーバレイ画像（立体フォーム１２４ａ）に基づいて、“立体オーバレイ画像を立体印刷せよ”を意味する立体印刷描画命令、例えば、＜立体Ｐ／立体オーバレイ画像＞を生成し、プリンタ４０に送出する。
【０２４０】
プリンタ４０は、プリンタドライバ３０から上記立体印刷描画命令＜立体Ｐ／立体オーバレイ画像＞が与えられると、印刷対象の文書情報中の立体オーバレイ画像を抽出し、該立体オーバレイ画像を構成する画素に例えばデフォルトの階調データ（Ｈ０）を付与した立体印刷データを生成し、該立体印刷データに基づき、当該画像（立体オーバレイ画像）をデフォルトの高さ（ｈ０：発泡後の高さ）及び盛上がり形状（四角形）を有する立体画像として印刷する。
【０２４１】
図１７は、立体オーバレイ印刷設定画面１２４を用いた立体オーバレイ指定に基づく印刷出力結果を示す概念図である。
【０２４２】
この例では、図１６における立体オーバレイ印刷設定画面１２４上での立体フォーム２の選択操作に基づき、例えば、例えば、テキスト文字“立体印刷は表現力豊か”から成る印刷対象の文書情報に当該立体フォーム２に対応する立体フォームデータ（オーバレイ画像）が重ね合わされた合成画像が生成され、該合成画像中のオーバレイ画像に相当する画像（立体フォーム２に対応する画像）のみが立体画像として記録用紙６０に印刷出力されている。
【０２４３】
このように、本発明において、アプリケーション２０は、ＵＩ画面１２０に設けられる立体オーバレイボタン押下後に表示される立体オーバレイ印刷設定画面１２４上で立体印刷を希望する立体フォーム１２４ｂ（オーバレイ画像）のいずれかを選択する操作を受け付け、当該選択された特定のオーバレイ画像を立体として指定する当該オーバレイ画像を含む画像データを立体画像データとして生成する機能を有する。
【０２４４】
これにより、本発明のシステムでは、立体オーバレイ印刷設定画面１２４上で所望の立体フォーム１２４ａ（オーバレイ画像）を選択して立体印刷指示対象として確定するだけで、当該選択されたオーバレイ画像を印刷対象の文書情報の画像に合成された立体画像として印刷することができる。
【０２４５】
なお、図１６においては、アプリケーション（立体印刷指示プログラム）２０に予め登録されている立体フォームデータ（立体フォーム１，２，３，４）を読み出して立体オーバレイ指定画面１２４上に表示する例を挙げたが、これに限らず、ユーザが任意に立体フォームデータを作成できる構成としても良い。
【０２４６】
また、上記立体フォームデータは、立体印刷指示プログラムに登録されているものだけでなく、立体印刷処理装置に登録されているものを指定することもできる。更に、当該立体フォームデータは、立体印刷指示プログラムが立体印刷処理装置に登録できるような構成としても良い。
【０２４７】
なお、上述した立体描画レイヤー、立体オブジェクトパレット、立体領域、立体オーバレイの各ボタンを用いる場合以外の立体印刷指示方法としては、例えば、フォント選択により立体描画指定を行う方法もある。
【０２４８】
このフォント選択による立体描画指定の実現方法としては、例えば、印刷対象の文書情報（テキストデータ）のフォント属性として立体印刷を指定可能にする方法、立体印刷のための立体フォント（デバイスフォント、仮想フォント）を指定可能にする方法、フォントメトリクスデータに立体情報が埋め込まれた立体フォントを指定可能にする方法等が考えられる。
【０２４９】
また、上記フォント選択による立体描画指定とは別の立体描画指定方法としては、例えば、盛上がり形状＝かまぼこ形，盛上がり高さ＝Ｎｍｍといった立体属性を設け、該立体属性を描画オブジェクト（ベクトル、イメージ、テキスト）に付与する形で、当該描画オブジェクトの一属性として立体を指定可能にする方法も考えられる。
【０２５０】
ところで、本発明の印刷処理システムでは、指定されたオブジェクトを立体画像として印刷する立体印刷の他、当該指定されたオブジェクトを擬似的な立体画像として印刷する擬似立体印刷を行うこともできる。
【０２５１】
この擬似立体印刷を行う場合、アプリケーション２０において、ＰＣ１０の表示部１２に表示されるＵＩ画面１２０（図３参照）上で、例えば立体印刷指定１欄の各オブジェクト指示ツールを用いて擬似立体印刷すべきオブジェクトを指定した後、“擬似立体印刷”ＣＢをチェックすることにより、〔“擬似立体印刷”＋“立体印刷対象オブジェクト”〕から成る擬似立体印刷指示を行う。
【０２５２】
以下、本発明の印刷処理システムにおける擬似立体印刷機能の構成例について述べる。
【０２５３】
図１８は、本発明に係わる擬似立体印刷機能の第１の構成例を示す概念図である。
【０２５４】
この第１の構成例では、ＵＩ画面１２０上で“擬似立体印刷”＋“立体印刷対象オブジェクト”から成る擬似立体印刷指示（擬似立体ＣＢ：ＯＮ）がなされた場合、アプリケーション２０では、印刷対象の文書情報を解析して、上記擬似立体印刷指示されたオブジェクト（立体印刷対象オブジェクト）が抽出され、該抽出されたオブジェクトを擬似立体印刷することを指示する擬似立体印刷指示情報を含む擬似立体画像データが生成され、プリンタドライバ３０に送出される。
【０２５５】
プリンタドライバ３０は、擬似立体画像データ中の擬似立体印刷指示情報に基づき、当該擬似立体印刷指示対象のオブジェクトを擬似立体印刷するための擬似立体印刷描画命令が生成され、印刷ジョブに付加されてプリンタ４０に送出される。
【０２５６】
ここで、擬似立体印刷描画命令とは、上記擬似立体印刷対象オブジェクトに対応する描画データを、強調や輪郭抽出あるいは陰影のように擬似立体画像として表現される描画データ（擬似立体データ）に変換したものであり、図１８では、擬似立体印刷として描画されたＰＤＬに当たる。
【０２５７】
プリンタ４０では、プリンタドライバ３０から送られてくる上記擬似立体印刷描画命令（擬似立体印刷として描画されたＰＤＬ）を画像形成部に送り、画像形成部では、当該擬似立体印刷命令を通常の画像データとして印刷する。これにより、上記ＰＤＬの印刷結果としては、上記立体印刷対象オブジェクトが、強調や輪郭抽出あるいは陰影のように表現される擬似立体画像として印刷される。
【０２５８】
ここで、アプリケーション２０からの擬似立体印刷指示に基づくプリンタドライバ３０における擬似立体印刷描画命令の生成処理について図１９を参照して説明する。
【０２５９】
この例では、同図（ａ）に示すような印刷対象文書情報に対して、該文書中の○図形オブジェクトに対してアプリケーション２０から擬似立体印刷指示がなされたものとする。
【０２６０】
この場合、アプリケーション２０は、○図形オブジェクトを擬似立体印刷することを指示する擬似立体印刷指示情報を含む擬似立体画像データを生成してプリンタドライバ３０に送り、プリンタドライバ３０では、アプリケーション２０から受信した擬似立体画像データ中の擬似立体印刷指示情報に基づき、擬似立体印刷対象の○図形オブジェクトの元データから、例えば、同図（ｂ）に示すように、該元データを所定の方向（例えば、数ドット右下方向）にずらした画像データを生成し、この生成データを元データとマージすることによって印刷データ（擬似立体印刷描画命令：擬似立体印刷として描画されたＰＤＬ）を生成する。
【０２６１】
この場合、上記印刷データを受け取ったプリンタ４０では、当該印刷データに基づき、元データに対応する画像に対して生成データに対応する画像が陰影として見えるような画像を印刷する。
【０２６２】
また、別の方法としては、同図（ｃ）に示すように、○図形オブジェクトの元データから、該元データ全体を数ドット分拡大した画像データを生成し、該生成データを元データとマージすることによって、上記印刷データを生成する方法がある。
【０２６３】
この場合、上記印刷データを受け取ったプリンタ４０では、当該印刷データに基づき、元データに対応する画像に対して生成データに対応する画像が縁取り（輪郭強調）のように見える画像を印刷する。
【０２６４】
また、同図（ｂ）の変形例としては、○図形オブジェクトの元データから、該元データを所定方向にずらしたデータを生成すると共に、該生成データと前記元データにそれぞれ異なる明度または彩度（相互に上げたり、下げたりする）を付与して当該生成データを元データとマージすることによって印刷データを生成する方法がある。
【０２６５】
この場合、上記印刷データを受け取ったプリンタ４０では、当該印刷データに基づき、元データに対応する画像に対して生成データに対応する画像が強調された陰影として見える画像を印刷することができる。
【０２６６】
また、同図（ｃ）の変形例としては、○図形オブジェクトの元データから、該元データ全体を拡大したデータを生成すると共に、該生成データと元データにそれぞれ異なる明度または彩度（相互に上げたり、下げたりする）を付与して当該生成データを元データとマージすることによって印刷データを生成する方法がある。
【０２６７】
この場合、上記印刷データを受け取ったプリンタ４０では、当該印刷データに基づき、元データに対応する画像に対して生成データに対応する画像が強調された縁取りのように見える画像を印刷することができる。
【０２６８】
更には、図１９（ｄ）に示すように、○図形オブジェクトの元データから、該元データ全体を拡大したデータを生成すると共に、該生成データにグラデーションを付加して当該生成データを元データとマージすることによって印刷データを生成する方法もある。
【０２６９】
この場合、上記印刷データを受け取ったプリンタ４０では、当該印刷データに基づき、元データに対応する画像に対してその周辺画像（生成データに対応する画像）がグラデーションで陰影表現された画像を印刷することができる。
【０２７０】
このように、第１の構成例では、アプリケーション２０に、擬似立体印刷対象のオブジェクトの指定を含む擬似立体印刷指示機能を設け、該機能により擬似立体印刷指示を行うことによって、擬似立体印刷対象のオブジェクトの元データを、輪郭や陰影（図１９参照）のように表現される描画データに変換することにより、当該オブジェクトを擬似立体画像として印刷することができる。
【０２７１】
図２０は、擬似立体印刷機能の第２の構成例を示す概念図である。
【０２７２】
この構成例において、アプリケーション２０は、第１の構成例のもの（図１８参照）と同等のものである。但し、この例では、アプリケーション２０において、擬似立体印刷指示が行われていない（擬似立体ＣＢ：ＯＦＦ）。
【０２７３】
この場合、アプリケーション２０は、印刷要求文書情報に対応する通常の画像データ（非立体画像データ）を生成してプリンタドライバ３０に送出し、プリンタドライバ３０では、該非立体画像データに基づき上記印刷対象の文書情報に対応する通常のＰＤＬ形式のデータを生成してプリンタ４０に送出する。
【０２７４】
一方、プリンタ４０は、プリンタドライバ３０以外の装置、例えば、サーバ（図示せず）等から擬似立体印刷指示を受付ける受付手段を有している。
【０２７５】
なお、サーバ等の装置側からの擬似立体印刷指示方法は、上述したＵＩ画面１２０による操作と同様、所定のオブジェクトに対して擬似立体印刷することを指示するものとする。
【０２７６】
サーバ等からの擬似立体印刷指示が受付手段により受付けられている時、プリンタドライバ３０からＰＤＬ形式の印刷データが受信されると、プリンタ４０では、当該印刷データ中から、擬似立体印刷すべきオブジェクトを抽出し、当該オブジェクトの元データから、図１９に示すような各種の方法で陰影や輪郭等に当たるデータを生成し、該生成データを元データにマージすることにより擬似立体描画データを生成し、該描画データに基づき当該オブジェクトを擬似立体印刷する。
【０２７７】
このように、第２の構成例では、アプリケーション２０から擬似立体印刷指示がない場合であっても、サーバ等から擬似立体印刷指示が出されていれば、該指示に基づき擬似立体印刷を行う。
【０２７８】
なお、上記第１及び第２の構成例において、プリンタ４０は、立体印刷機能を有するものであるが、この種のシステムに利用されるプリンタとしては立体印刷不可能な機種も存在する。
【０２７９】
そこで、第３の構成例としては、立体印刷不可能なプリンタ（便宜的に、４０Ａと呼称）を対象とした擬似立体印刷処理が考えられる。
【０２８０】
図２１は、擬似立体印刷機能構成の第３の構成例を示す概念図である。
【０２８１】
この構成例において、プリンタ４０Ａは立体印刷不可能なものである。立体印刷不可能なプリンタ４０Ａとしては、元々、立体印刷機能がないもの、立体印刷機能があっても発泡（Ｈ）トナーが切れているもの、あるいは立体印刷オプションが無いもの等のケースが考えられる。
【０２８２】
一方、アプリケーション２０は、ＵＩ画面１２０を利用した立体印刷指示機能並びに擬似立体印刷指示機能を有するものである。更に、本構成例において、アプリケーション２０には、ＵＩ画面１２０で所定のオブジェクトに対して立体印刷指示がなされた時に、プリンタ４０Ａが立体印刷が不可能であると認識された場合、擬似立体印刷することを指示する指示手段が備わる。
【０２８３】
プリンタ４０Ａが立体印刷不可能であることを認識するために、アプリケーション２０には、更に、プリンタ４０Ａの印刷機能に関する情報を収集する収集手段が備わる。
【０２８４】
通常、アプリケーション２０では、ＵＩ画面１２０からの立体印刷指示（立体印刷ＣＢ  ＯＮ）があると、既に述べた方法で、該立体印刷指示されたオブジェクトを立体印刷することを示す立体印刷指示情報を含む立体画像データを生成してプリンタドライバ３０に送出する。
【０２８５】
しかしながら、本構成例では、上記立体印刷指示がなされた時、上記収集手段による収集情報に基づき、プリンタ４０Ａが立体印刷不可能と認識された場合、上記指示手段によって、擬似立体印刷することが指示される。
【０２８６】
この指示により、アプリケーション２０では、本来は立体印刷指示対象であるオブジェクトを擬似立体印刷することが指示する擬似立体印刷指示情報を含む擬似立体画像データを生成してプリンタドライバ３０に送出する。
【０２８７】
また、プリンタドライバ３０は、アプリケーション２０からの擬似立体画像データ中の擬似立体印刷指示情報に基づき、図１８に示す例と同様に、当該擬似立体印刷指示されたオブジェクトが擬似立体印刷として描画された描画命令（ＰＤＬデータ）を生成し、印刷ジョブとしてプリンタ４０Ａに送出する。
【０２８８】
ここで、プリンタドライバ３０からプリンタ４０Ａに送られる、ＰＤＬデータは、図１９の説明で述べたように、立体印刷すべきオブジェクトの元データから、図１９（ａ）〜（ｃ）に示すような各種の方法で陰影た輪郭等に当たるデータを生成し、該生成データを元データにマージして生成される描画データである。
【０２８９】
従って、上記ＰＤＬデータを受け取ったプリンタ４０Ａでは、当該ＰＤＬデータに基づき、上記立体印刷対象オブジェクトが、強調や輪郭抽出あるいは陰影のように表現される擬似立体画像として印刷することができる。
【０２９０】
なお、本構成例では、プリンタ４０Ａの機能や状態を収集し、その収集情報に基づきプリンタ４０Ａが立体印刷不可能であると認識した時に、擬似立体印刷することを指示するようにしたが、プリンタ４０Ａが立体印刷不可能であることが予め分かっている場合等には、手動で指示するようにしても良い。
【０２９１】
このように、立体印刷指示においても擬似立体印刷することを指定する手段をアプリケーション２０に設けた構成によれば、身近に存在する立体印刷不可能なプリンタ３０Ａ（あるいは、発泡トナーが切れているなどにより立体印刷不可能なプリンタ）が駆動対象として存在する場合においても、該プリンタ３０Ａによって、擬似立体印刷画像が混在する印刷出力を得ることができる。
【０２９２】
この印刷出力は、擬似立体画像が立体画像のイメージを反映したもの（図１９参照）となるため、実際に立体印刷を行う前に立体画像イメージを確認するプレビューとしての機能を果たすことになる。
【０２９３】
なお、図２に示した印刷処理動作においては、プリンタ４０が立体印刷機能を有することを前提とし、ＵＩからの立体印刷指示を常に受付ける例を示しているが、図２１に示す第３の構成例のように、アプリケーション２０が、プリンタ４０の印刷機能に関する情報を収集する収集手段を有する構成においては、該収集手段により、プリンタ４０に立体印刷機能が装備されているどうか（あるいは、立体印刷が可能であるかどうか）を問合せ、該プリンタ４０が立体印刷可能であることを収集したうえでＵＩからの立体印刷指示を受付けるようにしても良い。
【０２９４】
この他、本発明は、上記し、且つ図面に示す実施例に限定することなく、その要旨を変更しない範囲内で適宜変形して実施できるものである。
【０２９５】
例えば、上記実施例では、アプリケーション２０における立体印刷指示手段を、ＰＣ１０の入力／操作部や表示部を利用したＵＩによって実現しているが、これに限らず、システムが持つ他のＵＩを利用しても良い。
【０２９６】
また、本システムにＷｅｂサーバを組み込み、外部端末のＷｅｂブラウザ上の設定画面でＵＩ画面１２０使用時と同様の立体印刷指示をアプリケーションから行い、該立体印刷指示により入力された立体印刷指示情報をＷｅｂサーバ経由で取込むＵＩ手段を備えた構成も考えられる。
【０２９７】
また、上記実施例では、Ｙ，Ｍ，Ｃ，ＢＫ用の画像形成部とは独立に発泡トナー用の画像形成部を備えたプリンタを用いているが、これに限らず、Ｙ，Ｍ，Ｃ，ＢＫの画像形成部のみを備えたプリンタを用いても良い。この場合、ＢＫ用の画像形成部を発泡トナー用の画像形成部として利用し、ＢＫに関してはＹ，Ｍ，Ｃで表現するようにプリンタでの画像処理方法を変えることで対応できる。
【０２９８】
また、上記実施例では、立体印刷を対象とし、立体印刷対象オブジェクト及び立体画像の立体出力仕様を含む立体印刷指定を行う機能について述べたが、本機能は、特殊印刷を対象とし、特殊印刷対象オブジェクト及び特殊画像の特殊印刷仕様を含む特殊印刷指定を行う場合にも適用可能である。従って、本発明は、アプリケーションから特殊印刷を行うシステム全般に適用できる。
【産業上の利用可能性】
【０２９９】
本発明は、印刷対象の文書情報に基づき立体画像が混在する画像印刷を行う立体画像形成装置に適用でき、アプリケーションからの立体印刷指示に基づき、印刷対象の文書情報中の立体印刷指示対象のオブジェクトを指示された仕様で立体印刷するのに有用である。
【図面の簡単な説明】
【０３００】
【図１】本発明に係る印刷処理システムの構成を示すブロック図。
【図２】本発明に係わる印刷処理システムの立体印刷処理動作を示す概念図。
【図３】立体印刷指示に用いる立体印刷設定画面の一例を示す図。
【図４】アプリケーションの立体画像データ生成処理動作を示すフローチャート。
【図５】プリンタドライバ及びプリンタの詳細構成を示す図。
【図６】プリンタドライバの印刷データ生成処理動作を示すフローチャート。
【図７】プリンタの印刷処理動作を示すフローチャート。
【図８】画像形成部の転写及び定着プロセスを説明するためのトナー像概念断面構成図。
【図９】立体レイヤー印刷設定画面の構成を示す図。
【図１０】立体描画レイヤー指定に基づく印刷出力結果を示す概念図。
【図１１】立体パレット設定画面の構成を示す図。
【図１２】立体パレット設定画面からの立体印刷指示に基づく印刷出力結果を示す概念図。
【図１３】立体パレット設定画面における立体描画オブジェクトの編集及び追加設定例を示す図。
【図１４】立体ページレイアウト画面の構成を示す図。
【図１５】立体描画領域指定に基づく印刷出力結果を示す概念図。
【図１６】立体オーバレイ指定画面の構成を示す図。
【図１７】立体オーバレイ指定に基づく印刷出力結果を示す概念図。
【図１８】擬似立体印刷機能の第１の構成例を示す概念図。
【図１９】擬似立体印刷指示に基づく擬似立体印刷描画命令の生成処理を示す概念図。
【図２０】擬似立体印刷機能の第２の構成例を示す概念図。
【図２１】擬似立体印刷機能の第３の構成例を示す概念図。
【図２２】従来の印刷処理システムの構成を示す概念図。
【符号の説明】
【０３０１】
１０…ＰＣ（パーソナルコンピュータ）、１１…入力／操作部、１２…表示部、１３…制御部、１４…記憶部、１５…ネットワークインタフェース（ＮＷ  Ｉ／Ｆ）、２０…アプリケーション、３０…プリンタドライバ、３０１…印刷ジョブ解析部、３０２…ジョブ制御コマンド生成部、３０３…ＰＤＬコマンド生成部、４０，４０Ａ…プリンタ、４１…ネットワークインタフェース（ＮＷ  Ｉ／Ｆ）、４２…画像処理部、４２１…ジョブ制御コマンド解析部、４２２…ＰＤＬコマンド解析部、４２３…レンダリング部、４３…画像形成部、４４…制御部、４５…操作／表示部、５０…ネットワーク、６０…記録用紙、１２０…立体印刷設定画面（ＵＩ画面）、１２１…立体描画レイヤー印刷設定画面、１２１ａ…レイヤー構成、１２１ｂ…立体描画レイヤー指定ツール、１２２…立体オブジェクトパレット印刷設定画面、１２２ａ…立体描画オブジェクト選択ボタン、１２２ｂ…設定条件表示領域、１２３…立体ページレイアウト印刷設定画面、１２３ａ…ページレイアウト情報、１２３ｂ…立体印刷領域選択ボタン、１２４…立体オーバレイ印刷設定画面、１２４ａ…立体フォーム、１２４ｂ…立体フォーム選択ボタン
【図１】
2005227862.tif 000003
【図２】
2005227862.tif 000004
【図３】
2005227862.tif 000005
【図４】
2005227862.tif 000006
【図５】
2005227862.tif 000007
【図６】
2005227862.tif 000008
【図７】
2005227862.tif 000009
【図８】
2005227862.tif 000010
【図９】
2005227862.tif 000011
【図１０】
2005227862.tif 000012
【図１１】
2005227862.tif 000013
【図１２】
2005227862.tif 000014
【図１３】
2005227862.tif 000015
【図１４】
2005227862.tif 000016
【図１５】
2005227862.tif 000017
【図１６】
2005227862.tif 000018
【図１７】
2005227862.tif 000019
【図１８】
2005227862.tif 000020
【図１９】
2005227862.tif 000021
【図２０】
2005227862.tif 000022
【図２１】
2005227862.tif 000023
【図２２】
2005227862.tif 000024